(57)【要約】【課題】  洗濯機に対し原水だけでなく浴槽の残り湯を効率よく供給できる水栓を提供する。【解決手段】  水栓Ａは、原水を供給する通水管５が接続される第１通水部材３０と、浴槽Ｃの残り湯を供給するホース３が接続される第２通水部材３０ａと、両通水部材３０，３０ａが収容されるケース１０，２０とを備え、各通水部材３０，３０ａから原水と浴槽の残り湯とが供給されるようにした。【選択図】  図３
2006124924.tif 000002
【特許請求の範囲】
【請求項１】
原水を供給する通水管が接続される第１通水部材と、浴槽の残り湯を供給するホースが接続される第２通水部材と、両通水部材が収容されるケースとを備え、各通水部材から原水と浴槽の残り湯とが供給されるようにしたことを特徴とする水栓。
【請求項２】
前記第１通水部材と第２通水部材とは、互いの流路が独立していることを特徴とする請求項１記載の水栓。
【請求項３】
前記第１通水部材と第２通水部材とは、ケースに形成された収容室に互いに並列させたことを特徴とする請求項１又は２記載の水栓。
【発明の詳細な説明】
【技術分野】
【０００１】
この発明は、洗濯機に対し原水だけでなく、浴槽の残り湯を供給することのできる水栓に関するものである。
【背景技術】
【０００２】
浴槽で使用された残り湯をそのまま排水しないで、洗濯機の洗濯水として利用することは従来から行なわれている。この場合、互いに離れた位置に設置されている洗濯機と浴槽とをホースにより連通させ、ホースの基端にはポンプを装着し、浴槽に湯が残っている場合にこの残り湯をポンプにより汲み上げ、ホースを介して洗濯機用の水栓に供給していた。このように洗濯機に浴槽の残り湯を供給することのできる水栓として公知のものに特許文献１がある。この特許文献１では洗濯機と向かい合う壁面に、給水源から供給される原水を洗濯機へ向けて供給するための第１水栓と、浴槽の残り湯を洗濯機へ供給するための第２水栓とが取り付けられている。
【０００３】
【特許文献１】特開平８−２８０９８５号公報
【０００４】
この特許文献１では、洗濯機と向かい合う壁面に原水用の水栓と残り湯用の水栓との２つの水栓を用意する必要があるためコストが高くつくものとなるうえ、両水栓を壁面へ取り付ける必要があり、手間がかかるものである。しかも、洗濯機の周囲に２つの水栓が取り付けられるだけの空間が必要であり、取り付けられた２つの水栓は洗濯機の周囲で邪魔になるうえ、美観を損なうものであった。
【発明の開示】
【発明が解決しようとする課題】
【０００５】
この発明は、このような従来の技術に存在する問題点に着目してなされたものであり、その課題は、洗濯機に対し原水だけでなく浴槽の残り湯を効率よく供給できる水栓を提供することである。
【課題を解決するための手段】
【０００６】
上記目的を達成するため、請求項１記載の発明では、水栓は、原水を供給する通水管が接続される第１通水部材と、浴槽の残り湯を供給するホースが接続される第２通水部材と、両通水部材が収容されるケースとを備え、各通水部材から原水と浴槽の残り湯とが供給されるようにしたことを特徴とするものである。
【０００７】
請求項２に記載の発明では請求項１記載の水栓において、前記第１通水部材と第２通水部材とは、互いの流路が独立していることを特徴とするものである。
【０００８】
請求項３に記載の発明では請求項１又は２記載の水栓において、前記第１通水部材と第２通水部材とは、ケースに形成された収容室に互いに並列させたことを特徴とするものである。
【発明の効果】
【０００９】
本発明の請求項１記載の発明では、水栓は原水用と残り湯用との２つの通水部材がケースに収容されているため、単一の水栓で原水だけでなく浴槽の残り湯を効率よく供給することができる。従って、浴槽の残り湯を洗濯機へ供給する場合、単一の水栓を用意するだけでよく、従来のように二つの水栓を用意する必要がなく、水栓に要するコストを低減することができる。しかも、洗濯機の周囲に水栓を取り付けるための広いスペースを必要とせず、洗濯機の使用時に水栓が邪魔になることがないうえ、洗濯機の周囲をすっきりさせることで美観が向上する。
【００１０】
請求項２に記載の発明では、水栓は第１通水部材と第２通水部材とは互いの流路が独立しているので、原水を供給する場合と浴槽の残り湯を供給する場合とでホースを取り付けたり取り外す必要がなく、作業性が極めてよい。
【００１１】
請求項３に記載の発明では、水栓は第１通水部材と第２通水部材とは、ケースに形成された収容室に互いに並列させたので、原水を供給する場合と残り湯を供給する場合とを容易に判別することができる。
【発明を実施するための最良の形態】
【００１２】
以下、本発明の実施例を図に基づいて詳細に説明する。
【実施例１】
【００１３】
図１は、本発明の水栓Ａが、洗濯機１の後方で立設する壁板２に取り付けられた状態であり、洗濯機１は、浴槽Ｃが設けられている浴室Ｂと隣接した洗面室Ｄに配置され、水栓Ａと浴槽Ｃの内部とは第１ホース３により接続されており、第１ホース３の先端には、浴槽Ｃに残っている残り湯を汲み上げるためのポンプ４が装着されている。従って、浴槽Ｃに残り湯が残っている場合にポンプ４を作動させると、残り湯は第１ホース３を介して水栓Ａに供給され、さらに水栓Ａから洗濯機１へ向けて残り湯が供給されるものである。
【００１４】
図２乃至図５は本発明の水栓Ａの構成を示す説明図である。水栓Ａは洗面室Ｄに立設された壁板２に対し裏側に固定される第１ケース１０と、壁板２に対し表側に固定され第１ケース１０に対し前後方向に結合される第２ケース２０と、両ケース１０，２０の内部で互いに併設して収容される二つの通水部材３０，３０ａとを備え、第１通水部材３０は原水を洗濯機１へ供給し、第２通水部材３０ａは浴槽Ｃの残り湯を洗濯機１へ供給するものである。
【００１５】
図２及び図５に示すように、前記第１ケース１０は略正方形の箱型で、壁板２の裏側で洗面室Ｄからは隠れた状態で配置されるもので、内部には第１収容室１１が形成され、壁板２と向かい合う正面側の左右両端を内側に向けて折曲して舌辺１２，１２がそれぞれ形成され、この両舌辺１２，１２の上下両端の計４箇所には第１小孔１３がそれぞれ穿設されており、両舌辺１２，１２の間には正面開口孔１４が開口している。また、第１ケース１０の背面側には背面板１５が形成され、この背面板１５には前記各通水部材３０，３０ａを固定するための４個の第２小孔１６が並列状に穿設されている。
【００１６】
前記第２ケース２０は壁板２と向かい合う位置に形成された裏側開口部２１より正面部２２の横幅を短くした略台形状の箱型であり、内部には第２収容室２３が形成され、前記第１ケース１０との間には、両ケース１０，２０を壁板２に固定するための一対の固定板６０，６４が装着される。
【００１７】
前記第１通水部材３０は図３及び図４に示すように、水道水である原水を供給するための通水管５が接続される第１継手部材３１と、この第１継手部材３１に結合され原水の流路を開閉する弁機構３２と、この弁機構３２と連繋するハンドル３３と、ハンドル３３の操作により弁機構３２で調節された流量の原水が供給される吐水機構３４とを備えている。
【００１８】
前記第１継手部材３１は断面略Ｌ字型に屈曲された中空状で、正面側には円筒状の開口部３５が開口しており、第１ケース１０の背面板１５と向かい合う底面に外径を大径として鍔部３６が形成され、この鍔部３６には複数個のビス孔３６ａが穿設されており、各ビス孔３６ａに対しビス３７を挿通し、第１ケース１０の第２小孔１６に螺着することで、第１ケース１０の背面板１５に結合される。
【００１９】
前記弁機構３２は第１継手部材３１と向かい合う基端に第１円筒体３８が装着される。この第１円筒体３８は内部に原水が通過する原水路３８ａが形成されており、第１継手部材３１の開口部３５に水密的に結合されるものである。弁機構３２は内部に流路を区画する隔壁３９が形成され、この隔壁３９により原水の流路は一次室４０と二次室４１とに区画され、隔壁３９に穿設された弁口３９ａにより一次室４０と二次室４１とは連通している。二次室４１には一次室４０から供給される原水の流量を調節する弁体４２が収容されており、弁体４２は前記弁口３９ａの外周に環状に形成された弁座４３に対し接離自在で、弁体４２の他端にはスピンドル４４が結合され、スピンドル４４の他端には前記ハンドル３３が結合されている。
【００２０】
前記吐水機構３４は図４に示すように弁機構３２に結合され、原水が通過する流路４５に止水弁４６が装着されており、この止水弁４６は、内部に通路４７ａが形成された円筒状で流路４５内を上下方向に進退自在な弁体４７と、この弁体４７を付勢して原水が通過する開口４９を水密的に閉塞するスプリング４８とからなり、吐水機構３４に対し第２ホース３ａが接続されると、第２ホース３ａの基端部が弁体４７をスプリング４８の付勢力に抗して上部へ移動させることで、流路４５と通路４７ａとが連通し、第２ホース３ａに対し原水の供給が可能となる。そして、第２ホース３ａを吐水機構３４から外した状態では、スプリング４８が弁体４７を上部から付勢してこの弁体４７が開口４９を水密的に閉塞することで、弁機構３２から流路４５へ供給された原水は止水状態となる。
【００２１】
前記第２通水部材３０ａは第１通水部材３０とは互いに流路が独立しており、図２及び図３に示すように、浴槽Ｃの残り湯を供給するための第１ホース３が接続される第２継手部材３１ａと、この第２継手部材３１ａに結合され残り湯を洗濯機１に向けて供給する吐水機構３４ａとを備え、この吐水機構３４ａには第３ホース３ｂが接続される。
【００２２】
前記第２継手部材３１ａは第１継手部材３１の左側で第１ケース１０の背面板１５に結合される。なお、第２継手部材３１ａは第１継手部材３１とその構造は同一であり、その説明を省略する。
【００２３】
前記吐水機構３４ａは第２継手部材３１ａと向かい合う基端に第２円筒体３８ｂが装着される。この第２円筒体３８ｂは内部に浴槽の残り湯が通過する残水流路３８ｃが形成されており、第２継手部材３１ａの開口部３５に水密的に結合されるものである。第２通水部材３０ａの場合、第２継手部材３１ａと吐水機構３４ａとの間に弁機構３２を備えていない点で第１通水部材３０と異なり、吐水機構３４ａは第２継手部材３１ａに対し直接結合される。なお、吐水機構３４ａのその他の構成は第１通水部材３０に装着された吐水機構３４と同一であり、その説明を省略する。
【００２４】
前記固定板６０，６４は図５に示すように、第１固定板６０と第２固定板６４とからなり、第１固定板６０は略正方形の板状で、前記通水部材３０，３０ａの円筒体３８，３８ｂに対し回転自在に装着されたナット５０，５０ａを挿通するための一対の挿通孔６１，６１ａが互いの間隔を設けて左右に穿設され、第１挿通孔６１にはナット５０が、第２挿通孔６１ａにはナット５０ａが挿通される。また、第１固定板６０の４隅には前記第１ケース１０に穿設された各第１小孔１３と向かい合う位置である４隅に第３小孔６２が穿設されている。この第１固定板６０はボルト６３を各第３小孔６２及び第１ケース１０の各第１小孔１３に螺着することで、第１ケース１０に固定される。
【００２５】
第２固定板６４は横長で垂直部６４ａと水平部６４ｂとからなる断面略Ｌ字型に形成され、垂直部６４ａには前記第１固定板６０の両挿通孔６１，６１ａと同間隔で一対の半円孔６６，６６ａが穿設され、水平部にはこの両半円孔６６，６６ａと同間隔で丸孔６７，６７ａが穿設され、第１半円孔６６と第１丸孔６７には第１通水部材３０が、第２半円孔６６ａと第２丸孔６７ａとには第２通水部材３０ａが挿通される。
【００２６】
前記第１固定板６０と第２固定板６４とは、第２固定板６４に対し両通水部材３０，３０ａを装着した状態で互いに重ね合わせ、ビス６８により壁板２及び第１ケース１０に固定され、両通水部材３０，３０ａは第１固定板６０と第２固定板６４との間で挟着される。
【００２７】
上記構成の水栓Ａにおいて、洗濯機１に対し原水を供給するには、第２ケース２０から右側に露出しているハンドル３３を開弁方向に回転操作する。すると、通水管５から第１通水部材３０に供給される原水は、第１継手部材３１、弁機構３２、吐水機構３４を通過し、第２ホース３ａを介して洗濯機１へ供給される。
【００２８】
次に、浴槽Ｃに既に使用した残り湯が存在し、この残り湯を洗濯機１の洗濯水として利用したい場合は、浴槽Ｃで垂れ下がっている第１ホース３の先端のポンプ４を作動させる。すると、残り湯は第１ホース３を介して水栓Ａに供給され、その第２通水部材３０ａで第２継手部材３１ａ及び吐水機構３４ａを通過し、第３ホース３ｂを介して洗濯機１へ向け供給される。この場合、第１ホース３は洗濯機水栓Ａに対し常時接続した状態としておき、この状態でポンプ４が作動すれば、残り湯は洗濯機水栓Ａの第３ホース３ｂから洗濯機１に向けて供給される。
【００２９】
なお、本実施例の水栓は第１通水部材を右側に設け、第２通水部材を左側に設けたが、第１通水部材を左側に設け、第２通水部材を右側に設けてもよい。また、第通水部材に弁機構及びハンドルを装着し、ハンドルにより残り湯の洗濯機への吐水、止水を操作してもよい。
【００３０】
この水栓は、ケースの内部に原水及び洗濯水を洗濯機に供給するための二つの独立した通水路が形成されている。その第１通水部材は給水源から供給される原水を洗濯機へ供給するものであり、第２通水部材は浴槽の残り湯を洗濯機へ供給するものである。従って、一つの水栓で原水と浴槽の残り湯とを洗濯機に対し供給することができ、コストダウンを図ることができる。
【図面の簡単な説明】
【００３１】
【図１】本発明の水栓が壁板に装着された状態の説明図である。
【図２】本発明の水栓の正面図である。
【図３】図２におけるＡ−Ａ線の断面図である。
【図４】図２におけるＢ−Ｂ線の断面図である。
【図５】水栓の分解斜視図である。
【符号の説明】
【００３２】
１    ：洗濯機
３    ：第１ホース
５    ：通水管
１０  ：第１ケース
１１  ：第１収容室
２０  ：第２ケース
２３  ：第２収容室
３０  ：第１通水部材
３０ａ：第２通水部材
Ａ    ：水栓
Ｃ    ：浴槽
【図１】
2006124924.tif 000003
【図２】
2006124924.tif 000004
【図３】
2006124924.tif 000005
【図４】
2006124924.tif 000006
【図５】
2006124924.tif 000007